(57)【要約】【課題】ＯＳＤによる画面の焼き付けを利用者に違和感を与えることなく容易に防止することが可能なＯＳＤ表示装置及びＯＳＤ表示方法を提供することを目的とする。【解決手段】本発明のＯＳＤ表示装置は、ＯＳＤ信号を生成するＯＳＤ生成部と、入力された映像信号と生成されたＯＳＤ信号を合成して、合成された映像信号を出力する映像合成部と、合成された映像信号をディスプレイに表示させる映像表示部と、映像表示部の表示状態を所定タイミングで検出し、ＯＳＤ信号がディスプレイに規定時間以上表示された状態であることを検出した場合に、ＯＳＤ信号の表示位置をディスプレイにおいて所定画素分移動させるようにＯＳＤ生成部を制御する制御部と、を具備する。【選択図】図１
2011253027.tif 000002
【特許請求の範囲】
【請求項１】
ＯＳＤ信号を生成するＯＳＤ生成部と、
入力された映像信号と前記ＯＳＤ生成部が生成した前記ＯＳＤ信号を合成して、合成された映像信号を出力する映像合成部と、
前記映像合成部が出力した前記合成された映像信号をディスプレイに表示させる映像表示部と、
前記映像表示部の表示状態を所定タイミングで検出し、前記ＯＳＤ信号が前記ディスプレイに規定時間以上表示された状態であることを検出した場合に、前記ＯＳＤ信号の表示位置を前記ディスプレイにおいて所定画素分移動させるように前記ＯＳＤ生成部を制御する制御部と、を具備することを特徴とするＯＳＤ表示装置。
【請求項２】
前記制御部は、前記ＯＳＤ信号の移動元画素の色構成要素の値と移動先画素の色構成要素の値とを比較して更新すべき色構成要素を特定するとともに、前記移動先画素の前記更新すべき色構成要素の値が前記移動元画素の対応する色構成要素の値と同一になるように段階的に更新させるように前記ＯＳＤ生成部を制御する、ことを特徴とする請求項１に記載のＯＳＤ表示装置。
【請求項３】
前記制御部は、前記ＯＳＤ信号の移動先画素がＯＳＤ信号でない場合は、前記移動先画素の色構成要素の値を移動元画素の色構成要素の値に設定するとともに、前記移動先画素の透過率を段階的に減算するように前記ＯＳＤ生成部を制御する、ことを特徴とする請求項１に記載のＯＳＤ表示装置。
【請求項４】
前記制御部は、前記ＯＳＤ信号の表示位置を所定画素分移動させることにより移動元画素がＯＳＤ信号でなくなる場合は、前記移動元画素の色構成要素の値を固定にした状態で前記移動元画素の透過率を段階的に加算するように前記ＯＳＤ生成部を制御する、ことを特徴とする請求項１に記載のＯＳＤ表示装置。
【請求項５】
前記制御部は、前記ＯＳＤ信号の移動元画素の色構成要素の値及び移動先画素の色構成要素の値が偏った色構成要素であると判断した場合は、最初の段階において前記移動先画素の色構成要素の値を０に設定した後で、前記移動先画素の前記更新すべき色構成要素の値が前記移動元画素の対応する色構成要素の値と同一になるように段階的に更新させるように前記ＯＳＤ生成部を制御する、ことを特徴とする請求項２に記載のＯＳＤ表示装置。
【請求項６】
前記制御部は、入力された前記映像信号の表示状態を所定タイミングで検出し、前記映像信号の表示位置が移動したことを検出した場合に、前記ＯＳＤ信号の表示位置を前記映像信号の移動にあわせて移動させるよう前記ＯＳＤ生成部を制御する、ことを特徴とする請求項１に記載のＯＳＤ表示装置。
【請求項７】
ＯＳＤ信号を生成するＯＳＤ生成ステップと、
入力された映像信号と生成された前記ＯＳＤ信号を合成して、合成された映像信号を出力する映像合成ステップと、
合成された前記映像信号をディスプレイに表示させる映像表示ステップと、
前記ディスプレイの表示状態を所定タイミングで検出し、前記ＯＳＤ信号が前記ディスプレイに規定時間異常表示された状態であることを検出した場合に、前記ＯＳＤ信号の表示位置を前記ディスプレイにおいて所定画素分移動させるように前記ＯＳＤ生成ステップを制御する制御ステップと、を有することを特徴とするＯＳＤ表示方法。
【請求項８】
前記制御ステップは、前記ＯＳＤ信号の移動元画素の色構成要素の値と移動先画素の色構成要素の値とを比較して更新すべき色構成要素を特定するとともに、前記移動先画素の前記更新すべき色構成要素の値が前記移動元画素の対応する色構成要素の値と同一になるように段階的に更新させるように前記ＯＳＤ生成ステップを制御する、ことを特徴とする請求項７に記載のＯＳＤ表示方法。
【請求項９】
前記制御ステップは、前記ＯＳＤ信号の移動先画素がＯＳＤ信号でない場合は、前記移動先画素の色構成要素の値を移動元画素の色構成要素の値に設定するとともに、前記移動先画素の透過率を段階的に減算するように前記ＯＳＤ生成ステップを制御する、ことを特徴とする請求項７に記載のＯＳＤ表示方法。
【請求項１０】
前記制御ステップは、前記ＯＳＤ信号の表示位置を所定画素分移動させることにより移動元画素がＯＳＤ信号でなくなる場合は、前記移動元画素の色構成要素の値を固定にした状態で前記移動元画素の透過率を段階的に加算するように前記ＯＳＤ生成ステップを制御する、ことを特徴とする請求項７に記載のＯＳＤ表示方法。
【請求項１１】
前記制御ステップは、前記ＯＳＤ信号の移動元画素の色構成要素の値及び移動先画素の色構成要素の値が偏った色構成要素であると判断した場合は、最初の段階において前記移動先画素の色構成要素の値を０に設定した後で、前記移動先画素の前記更新すべき色構成要素の値が前記移動元画素の対応する色構成要素の値と同一になるように段階的に更新させるように前記ＯＳＤ生成ステップを制御する、ことを特徴とする請求項８に記載のＯＳＤ表示方法。
【請求項１２】
前記制御ステップは、入力された前記映像信号の表示状態を所定タイミングで検出し、前記映像信号の表示位置が移動したことを検出した場合に、前記ＯＳＤ信号の表示位置を前記映像信号の移動にあわせて移動させるよう前記ＯＳＤ生成ステップを制御する、ことを特徴とする請求項７に記載のＯＳＤ表示方法。
【発明の詳細な説明】
【技術分野】
【０００１】
本発明は、ＯＳＤ表示装置およびＯＳＤ焼付け防止方法に関し、更に詳しくは、ＯＳＤによる表示画面の焼き付けを利用者に違和感を与えることなく容易に防止することが可能なＯＳＤ表示装置およびＯＳＤ表示方法に関する。
【背景技術】
【０００２】
ブラウン管ディスプレイをはじめとする表示画面は、輝度の高い部分は輝度の低い部分と比べ発光量が多くなり劣化が早く進む。そのため、特定の場所に周辺より輝度の高い静止画像を長時間表示すると、その部分は劣化し周辺の劣化していない部分との輝度差が大きくなり表示画面の焼き付けが起っていた。特にＯＳＤ（オン・スクリーン・ディスプレイ）は、利用者にさまざまな情報を表示や、ＧＵＩ（グラフィック・ユーザー・インターフェイス）などに利用されるものであり、表示される位置が固定されている場合が多い。そのため、ＯＳＤの焼き付けを防止するために、ＯＳＤ信号を映像信号に合成して表示画面にＯＳＤ表示を行う表示装置において、ＯＳＤ表示してから規定時間経過後に焼き付けを防止することを目的としてＯＳＤ信号を非表示にする、またはＯＳＤ信号の輝度を変更する表示装置がある（例えば、特許文献１参照）。
【先行技術文献】
【特許文献】
【０００３】
【特許文献１】特開２００７−２１２６２７号公報
【発明の概要】
【発明が解決しようとする課題】
【０００４】
しかしながら、常にＯＳＤに表示された情報を確認したい利用者にとっては、上記特許文献１に記載の表示装置では、ＯＳＤ信号が規定時間経過後に非表示になるため、利用者が情報を参照するために再度ＯＳＤ表示要求を行う必要があり手間がかかるだけでなく、ＯＳＤの表示、非表示を繰り返すことで表示画面の劣化を早めてしまう問題があった。
【０００５】
また、規定時間経過後に、ＯＳＤの輝度を焼き付けしにくい輝度に自動的に変えて表示する場合、輝度の変更時に利用者に対して見た目に違和感を与えてしまうという問題もあった。
【０００６】
本発明では、上記事情に鑑みて成されたものであって、プラズマディスプレイなどの表示画面にＯＳＤを表示することができる表示装置において、ＯＳＤによる画面の焼き付けを利用者に違和感を与えることなく容易に防止することが可能なＯＳＤ表示装置及びＯＳＤ表示方法を提供することを目的とする。
【課題を解決するための手段】
【０００７】
上記従来の課題を解決するために、本発明の請求項１にかかるＯＳＤ表示装置は、ＯＳＤ信号を生成するＯＳＤ生成部と、入力された映像信号とＯＳＤ生成部が生成したＯＳＤ信号を合成して、合成された映像信号を出力する映像合成部と、映像合成部が出力した合成された映像信号をディスプレイに表示させる映像表示部と、映像表示部の表示状態を所定タイミングで検出し、ＯＳＤ信号がディスプレイに規定時間以上表示された状態であることを検出した場合に、ＯＳＤ信号の表示位置をディスプレイにおいて所定画素分移動させるようにＯＳＤ生成部を制御する制御部と、を具備することを特徴とする。
【０００８】
また、本発明の請求項２にかかるＯＳＤ表示装置は、本発明の請求項１にかかるＯＳＤ表示装置の構成において、制御部は、ＯＳＤ信号の移動元画素の色構成要素の値と移動先画素の色構成要素の値とを比較して更新すべき色構成要素を特定するとともに、移動先画素の更新すべき色構成要素の値が移動元画素の対応する色構成要素の値と同一になるように段階的に更新させるようにＯＳＤ生成部を制御する、ことを特徴とする。
【０００９】
また、本発明の請求項３にかかるＯＳＤ表示装置は、本発明の請求項１にかかるＯＳＤ表示装置の構成において、制御部は、ＯＳＤ信号の移動先画素がＯＳＤ信号でない場合は、移動先画素の色構成要素の値を移動元画素の色構成要素の値に設定するとともに、移動先画素の透過率を段階的に減算するようにＯＳＤ生成部を制御する、ことを特徴とする。
【００１０】
また、本発明の請求項４にかかるＯＳＤ表示装置は、本発明の請求項１にかかるＯＳＤ表示装置の構成において、制御部は、ＯＳＤ信号の表示位置を所定画素分移動させることにより移動元画素がＯＳＤ信号でなくなる場合は、移動元画素の色構成要素の値を固定にした状態で移動元画素の透過率を段階的に加算するようにＯＳＤ生成部を制御する、ことを特徴とする。
【００１１】
また、本発明の請求項５にかかるＯＳＤ表示装置は、本発明の請求項２にかかるＯＳＤ表示装置の構成において、制御部は、ＯＳＤ信号の移動元画素の色構成要素の値及び移動先画素の色構成要素の値が偏った色構成要素であると判断した場合は、最初の段階において移動先画素の色構成要素の値を０に設定した後で、移動先画素の更新すべき色構成要素の値が移動元画素の対応する色構成要素の値と同一になるように段階的に更新させるようにＯＳＤ生成部を制御する、ことを特徴とする。
【００１２】
また、本発明の請求項６にかかるＯＳＤ表示装置は、本発明の請求項１にかかるＯＳＤ表示装置の構成において、制御部は、入力された映像信号の表示状態を所定タイミングで検出し、映像信号の表示位置が移動したことを検出した場合に、ＯＳＤ信号の表示位置を映像信号の移動にあわせて移動させるようＯＳＤ生成部を制御する、ことを特徴とする。
【００１３】
また、本発明の請求項７にかかるＯＳＤ表示方法は、ＯＳＤ信号を生成するＯＳＤ生成ステップと、入力された映像信号と生成されたＯＳＤ信号を合成して、合成された映像信号を出力する映像合成ステップと、合成された映像信号をディスプレイに表示させる映像表示ステップと、ディスプレイの表示状態を所定タイミングで検出し、ＯＳＤ信号がディスプレイに規定時間異常表示された状態であることを検出した場合に、ＯＳＤ信号の表示位置を前記ディスプレイにおいて所定画素分移動させるように前記ＯＳＤ生成ステップを制御する制御ステップと、を有することを特徴とする。
【００１４】
また、本発明の請求項８にかかるＯＳＤ表示方法は、本発明の請求項７にかかるＯＳＤ表示方法の構成において、制御ステップは、ＯＳＤ信号の移動元画素の色構成要素の値と移動先画素の色構成要素の値とを比較して更新すべき色構成要素を特定するとともに、移動先画素の更新すべき色構成要素の値が移動元画素の対応する色構成要素の値と同一になるように段階的に更新させるようにＯＳＤ生成ステップを制御する、ことを特徴とする。
【００１５】
また、本発明の請求項９にかかるＯＳＤ表示方法は、本発明の請求項７にかかるＯＳＤ表示方法の構成において、制御ステップは、ＯＳＤ信号の移動先画素がＯＳＤ信号でない場合は、移動先画素の色構成要素の値を移動元画素の色構成要素の値に設定するとともに、移動先画素の透過率を段階的に減算するようにＯＳＤ生成ステップを制御する、ことを特徴とする。
【００１６】
また、本発明の請求項１０にかかるＯＳＤ表示方法は、本発明の請求項７にかかるＯＳＤ表示方法の構成において、制御ステップは、ＯＳＤ信号の表示位置を所定画素分移動させることにより移動元画素がＯＳＤ信号でなくなる場合は、移動元画素の色構成要素の値を固定にした状態で移動元画素の透過率を段階的に加算するようにＯＳＤ生成ステップを制御する、ことを特徴とする。
【００１７】
また、本発明の請求項１１にかかるＯＳＤ表示方法は、本発明の請求項８にかかるＯＳＤ表示方法の構成において、制御ステップは、ＯＳＤ信号の移動元画素の色構成要素の値及び移動先画素の色構成要素の値が偏った色構成要素であると判断した場合は、最初の段階において移動先画素の色構成要素の値を０に設定した後で、移動先画素の更新すべき色構成要素の値が移動元画素の対応する色構成要素の値と同一になるように段階的に更新させるようにＯＳＤ生成ステップを制御する、ことを特徴とする。
【００１８】
また、本発明の請求項１２にかかるＯＳＤ表示方法は、本発明の請求項７にかかるＯＳＤ表示方法の構成において、制御ステップは、入力された映像信号の表示状態を所定タイミングで検出し、映像信号の表示位置が移動したことを検出した場合に、ＯＳＤ信号の表示位置を映像信号の移動にあわせて移動させるようＯＳＤ生成ステップを制御する、ことを特徴とする。
【発明の効果】
【００１９】
以上のように、本発明によれば、利用者に対してＯＳＤ表示要求を行う必要がなく、ＯＳＤ表示、非表示の繰り返しによる表示画面の劣化を抑えるとともに利用者側に輝度の変化による違和感を与えることなく、ＯＳＤ表示による焼き付けを抑制することができる。
【図面の簡単な説明】
【００２０】
【図１】本発明の実施の形態１におけるＯＳＤ表示装置の構成を示すブロック図
【図２】本発明の実施の形態１におけるＯＳＤ移動のイメージを示す図
【図３】本発明の実施の形態１におけるＯＳＤの色変化のイメージを示す図
【図４】本発明の実施の形態１におけるＯＳＤの色変化のイメージを示す図
【図５】本発明の実施の形態１におけるＯＳＤの色変化のイメージを示す図
【図６】本発明の実施の形態１における色変化値計算処理を示すフローチャート
【図７】本発明の実施の形態１におけるＯＳＤ移動処理を示すフローチャート
【図８】本発明の実施の形態１におけるＯＳＤ移動処理を示すフローチャート
【図９】本発明の実施の形態１におけるＯＳＤ移動処理を示すフローチャート
【図１０】本発明の実施の形態１における偏ったＯＳＤ構成要素のＯＳＤ色変化のイメージを示す図
【図１１】本発明の実施の形態１における偏ったＯＳＤ構成要素のＯＳＤ色変化のイメージを示す図
【図１２】本発明の実施の形態１における偏ったＯＳＤ構成要素の色変化値計算処理を示すフローチャート
【図１３】本発明の実施の形態１における偏ったＯＳＤ構成要素のＯＳＤ移動処理を示すフローチャート
【図１４】本発明の実施の形態２におけるＯＳＤ移動のイメージを示す図
【図１５】本発明の実施の形態２における映像信号１画素移動時のＯＳＤ移動処理を示すフローチャート
【図１６】本発明の実施の形態２における色変化値計算のフローチャート図
【図１７】本発明の実施の形態２における映像信号１画素未満移動時のＯＳＤ移動処理を示すフローチャート
【発明を実施するための形態】
【００２１】
以下、本発明を実施するための形態について、図面を参照しながら説明する。
【００２２】
（実施の形態１）
図１は、本発明の実施の形態１におけるＯＳＤ表示装置の構成を示すブロック図である。図１に示すように、ＯＳＤ表示装置１００は、制御部１０１と、ＯＳＤ生成部１０２と、映像制御部１０３と、映像合成部１０４と、映像表示部１０５から構成される。なお、図１のＯＳＤ表示装置１００は、１つの映像表示部１０５を有する構成となっているが、複数の映像表示部１０５を有する構成であってもよい。
【００２３】
制御部１０１は、映像表示部１０５の表示状態を所定タイミングで検出する。そして、規定時間、ＯＳＤ表示が継続してディスプレイ（図示せず）の同じ位置に表示されている状態であることを検出した場合に、ＯＳＤ生成部１０２を制御する。具体的な制御方法については、後ほど図６に示す色変化値計算処理、図７から図９に示すＯＳＤ移動処理を用いて詳述する。
【００２４】
ＯＳＤ生成部１０２は、制御部１０１からの指示に応じて、ＯＳＤ信号を生成して映像合成部１０４へ出力する。
【００２５】
映像制御部１０３は、制御部１０１からの指示に応じて、受信部（図示せず）で受信した放送信号に含まれる映像信号、またはネットワークに接続された外部信号入力部から入力された映像信号の表示位置や表示サイズを制御して映像合成部１０４へ出力する。映像合成部１０４は、ＯＳＤ生成部１０２から入力されたＯＳＤ信号と映像制御部１０３から入力された映像信号を合成して、合成された映像信号を映像表示部１０５へ出力する。映像表示部１０５は、映像合成部１０４から入力された合成された映像信号をプラズマディスプレイ等の表示画面に表示する。
【００２６】
図２は、本発明の実施の形態１におけるＯＳＤの右へ１画素移動する時のイメージを示す図である。ここで、移動元のＯＳＤを画面２０１とし、移動先のＯＳＤを画面２０２とする。図２で示すように、移動先のＯＳＤの画素に対して、移動元のＯＳＤの画素が変化していくように複数ステップにより画素を変化させていく。これにより、違和感なくＯＳＤの移動を行うことができる。なお、図２では、３ステップで１画素移動する例として記載しているが、より細かいステップで移動させてもよい。
【００２７】
図３から図５は、本発明の実施の形態１における５ステップでＯＳＤを１画素移動する場合の移動先ＯＳＤの色変化のイメージを示す図である。
【００２８】
図３では、移動元の画素（２Ｂ）がＯＳＤであって、かつ移動先の画素（２Ｃ）がＯＳＤである場合の移動先の画素（２Ｃ）の色移動を示す。色構成の差を計算し、変化量を移動に必要とするステップ数で均等に色構成要素毎に加算または減算を行い移動先の画素へＯＳＤを移動させる。具体的には、移動元の画素（２Ｂ）の色構成ＲＧＢ値と移動先の画素（２Ｃ）の色構成ＲＧＢ値とを比較し、値を更新する必要があるＲＧＢ要素を特定する。図３では、Ｒ要素とＢ要素に差があるため、２ＣのＲ要素を２ＢのＲ要素になるようにステップ数で均等に加算し、２ＣのＢ要素を２ＢのＲ要素になるようにステップ数で均等に減算する。つまり、移動先の画素（２Ｃ）の色構成ＲＧＢ値が移動元の画素（２Ｂ）の色構成ＲＧＢ値と同一になるように段階的に色構成ＲＧＢ値を更新していく。
【００２９】
図４では、移動元の画素（１Ｇ）と移動先の画素（１Ｈ）における、移動先の画素（１Ｈ）の色移動を示す。ここで、初期位置（画面２０１）において、移動先の画素（１Ｈ）は映像信号であってＯＳＤではない。この場合は、移動先ＯＳＤ（１Ｈ）の色構成ＲＧＢ値を移動元（１Ｇ）の色構成ＲＧＢ値とし、該当する画素の透過率をステップ数に均等に１００％透過から減算することによりＯＳＤを移動させる。
【００３０】
図５では、ＯＳＤを１画素移動することにより、画素（１Ａ）がＯＳＤ信号でない画素になる場合を図示している。つまり、この場合は、移動元の画素（１Ａ）のＯＳＤ信号の色構成ＲＧＢ値の変更は行わず、該当画素のＯＳＤ信号の透過率をステップ数に均等に０％透過から加算することによりＯＳＤの移動を行う。なお、図３から図５では、５ステップで１画素移動する例として記載しているが、より細かいステップで移動させてもよい。
【００３１】
図６は、本発明の実施の形態１における色変化値計算処理を示すフローチャートである。色変化値計算処理は、制御部１０１が実行する。Ｓｔｅｐ６１において、移動先Ｒ要素（Ｒ２）から移動元Ｒ要素（Ｒ１）の変化量を１画素移動ステップ数（Ｓ）で割り、ステップ毎のＲ要素変化量（Ｒ）の計算を行う。Ｓｔｅｐ６２において、移動先Ｇ要素（Ｇ２）から移動元Ｇ要素（Ｇ１）の変化量を１画素移動ステップ数（Ｓ）で割り、ステップ毎のＧ要素変化量（Ｇ）の計算を行う。Ｓｔｅｐ６３において、移動先Ｂ要素（Ｂ２）から移動元Ｂ要素（Ｂ１）の変化量を１画素移動ステップ数（Ｓ）で割り、ステップ毎のＢ要素変化量（Ｂ）の計算を行う。
【００３２】
図７は、本発明の実施の形態１における図３で示す場合のＯＳＤ移動処理を示すフローチャートである。制御部１０１は、Ｓｔｅｐ７１により、１画素移動する時間を移動ステップ数で均等に分割した時間経過を判断した時（Ｓｔｅｐ７１で「Ｙｅｓ」）、Ｓｔｅｐ７２により、移動先Ｒ要素（Ｒ２）にステップ毎のＲ要素変化量（Ｒ）の加算を行う。Ｓｔｅｐ７３により、移動先Ｇ要素（Ｇ２）にステップ毎のＧ要素変化量（Ｇ）の加算を行う。Ｓｔｅｐ７４により、移動先Ｂ要素（Ｂ２）にステップ毎のＢ要素変化量（Ｂ）の加算を行う。
【００３３】
図８は、本発明の実施の形態１における図４で示す場合のＯＳＤ移動処理を示すフローチャートである。制御部１０１は、Ｓｔｅｐ８１により、１画素移動する時間を移動ステップ数で均等に分割した時間経過を判断した時（Ｓｔｅｐ８１で「Ｙｅｓ」）、Ｓｔｅｐ８２により、最初の１回のみ（Ｓｔｅｐ８２で「Ｙｅｓ」）、移動先Ｒ要素（Ｒ２）に移動元Ｒ要素（Ｒ１）に変更する（Ｓｔｅｐ８３）。そして、Ｓｔｅｐ８４により、移動先Ｇ要素（Ｇ２）に移動元Ｇ要素（Ｇ１）に変更する。Ｓｔｅｐ８５により、移動先Ｂ要素（Ｂ２）に移動元Ｂ要素（Ｂ１）に変更する。前記処理後、Ｓｔｅｐ８６により、該当画素のＯＳＤ信号透過率を１００％からステップ数で均等化した透過率の減算を行う。Ｓｔｅｐ８２において現在ステップ（ＳＴ）が１でないと判断した場合は（Ｓｔｅｐ８２で「Ｎｏ」）、ｔｅｐ８６により、該当画素のＯＳＤ信号透過率を１００％からステップ数で均等化した透過率の減算を行う。
【００３４】
図９は、本発明の実施の形態１における、図５で示す場合のＯＳＤ移動処理を示すフローチャートである。制御部１０１は、Ｓｔｅｐ９１により、１画素移動する時間を移動ステップ数で均等に分割した時間経過を判断した時（Ｓｔｅｐ９１で「Ｙｅｓ」）、Ｓｔｅｐ９２により、該当画素のＯＳＤ信号透過率を０％からステップ数で均等化した透過率の加算を行う。
【００３５】
図１０及び図１１は、本発明の実施の形態１におけるＯＳＤ構成要素が偏った場合における５ステップで１画素移動する場合の移動先ＯＳＤの色変化のイメージを示す図である。図１０では、移動元ＯＳＤ構成画素（Ｃ１）を赤（Ｒ２５５、Ｇ０、Ｂ０）、移動先ＯＳＤ構成要素（Ｃ２）を緑（Ｒ０、Ｇ２５５、Ｂ０）として、図７から図９に示すＯＳＤ移動処理を実施した時、Ｓｔｅｐ３、Ｓｔｅｐ４にて、ＲＧＢ構成要素が（Ｒ１２７、Ｇ１２７、Ｂ０）に近くなり、意図しない色（黄）を表示する課題がある。
【００３６】
図１１では、図１０での課題を解消したＯＳＤの色変化を示す。Ｓｅｔｐ１にて、移動先ＯＳＤを黒（ＲＧＢ値＝０）に変更し、移動元構成要素（Ｃ１）と同じ色になるように残りステップ数で均等に分配した色構成要素を加算することにより、変化途中に違和感を伴う課題を克服する。なお、図１１では、Ｓｔｅｐ１で、移動先ＯＳＤを黒に変更するように記載しているが、より細かいステップ実行の場合は、黒に変更する処理においても全体構成ステップの半分のステップ数で均等化した色構成要素を減算することにより黒に変更してもよい。
【００３７】
図１２は、本発明の実施の形態１におけるＯＳＤ構成要素が偏った場合における色変化値計算処理を示すフローチャートであって、詳細には、図１１での処理をフローチャートで示したものである。Ｓｔｅｐ１２１において、移動元ＯＳＤ構成要素（Ｃ１）と移動先ＯＳＤ要素構成（Ｃ２）が偏りがあると判断した場合（Ｓｔｅｐ１２１で「Ｙｅｓ」）、Ｓｔｅｐ１２２において、移動元Ｒ要素（Ｒ１）を１画素移動ステップ数（Ｓ）から１ステップ引いた値で割り、ステップ毎のＲ要素変化量（Ｒ）の計算を行う。Ｓｔｅｐ１２３において、移動元Ｇ要素（Ｇ１）を１画素移動ステップ数（Ｓ）から１ステップ引いた値で割り、ステップ毎のＧ要素変化量（Ｇ）の計算を行う。Ｓｔｅｐ１２４において、移動元Ｇ要素（Ｂ１）を１画素移動ステップ数（Ｓ）から１ステップ引いた値で割り、ステップ毎のＢ要素変化量（Ｂ）の計算を行う。
【００３８】
図１３は、本発明の実施の形態１における図１１で示す場合のＯＳＤ移動処理を示すフローチャートである。制御部１０１は、Ｓｔｅｐ１３１により、１画素移動する時間を移動ステップ数で均等に分割した時間経過を判断した時（Ｓｔｅｐ１３１で「Ｙｅｓ」）、Ｓｔｅｐ１３２により、最初の１回のみ（Ｓｔｅｐ１３２で「Ｙｅｓ」）、Ｓｔｅｐ１３３ａにより、移動先Ｒ要素（Ｒ２）を０に、Ｓｔｅｐ１３４ａにより移動先Ｇ要素（Ｇ２）を０に、Ｓｔｅｐ１３５ａにより移動先Ｂ要素（Ｂ２）を０に変更する。２回目以降は（Ｓｔｅｐ１３２で「Ｎｏ」）、Ｓｔｅｐ１３３ｂにより、移動先Ｒ要素（Ｒ２）にステップ毎のＲ要素変化量（Ｒ）の加算を行う。Ｓｔｅｐ１３４ｂにより、移動先Ｇ要素（Ｇ２）にステップ毎のＧ要素変化量（Ｇ）の加算を行う。Ｓｔｅｐ１３５ｂにより、移動先Ｂ要素（Ｂ２）にステップ毎のＢ要素変化量（Ｂ）の加算を行う。
【００３９】
（実施の形態２）
図１４は、本発明の実施の形態２における表示画面のイメージを示す図である。制御部１０１は、映像信号の表示位置移動を検出すると、映像信号と同じ移動方向、同じ移動量だけ、ＯＳＤを同期させて移動する。
【００４０】
図１５は、本発明の実施の形態２における映像信号１画素単位での移動を検出した場合のＯＳＤ移動処理を示すフローチャートである。Ｓｔｅｐ１５１により、映像信号が１画素移動したことを検出した場合（Ｓｔｅｐ１５１で「Ｙｅｓ」）、Ｓｔｅｐ１５２により、移動先Ｒ要素（Ｒ２）を移動元Ｒ要素（Ｒ１）に変更する。Ｓｔｅｐ１５３により、移動先Ｇ要素（Ｇ２）を移動元Ｇ要素（Ｇ１）に変更する。Ｓｔｅｐ１５４により、移動先Ｂ要素（Ｂ２）を移動元Ｂ要素（Ｂ１）に変更することにより、ＯＳＤ信号を映像信号に同期させて移動する。
【００４１】
図１６は、本発明の実施の形態２における映像信号１画素未満での移動を検出した場合の色変化値計算処理を示すフローチャートである。Ｓｔｅｐ１６１において、移動先Ｒ要素（Ｒ２）から移動元Ｒ要素（Ｒ１）の変化量を静止画１画素移動ステップ数（Ｓ２）で割り、ステップ毎のＲ要素変化量（Ｒ）の計算を行う。Ｓｔｅｐ１６２において、移動先Ｇ要素（Ｇ２）から移動元Ｇ要素（Ｇ１）の変化量を静止画１画素移動ステップ数（Ｓ２）で割り、ステップ毎のＧ要素変化量（Ｇ）の計算を行う。Ｓｔｅｐ１６３において、移動先Ｂ要素（Ｂ２）から移動元Ｂ要素（Ｂ１）の変化量を静止画１画素移動ステップ数（Ｓ２）で割り、ステップ毎のＢ要素変化量（Ｂ）の計算を行う。
【００４２】
図１７は、本発明の実施の形態２における映像信号１画素未満での移動を検出した場合のＯＳＤ移動処理を示すフローチャートである。Ｓｔｅｐ１７１において、映像信号１画素未満の移動を検出した場合（Ｓｔｅｐ１７１で「Ｙｅｓ」）、Ｓｔｅｐ１７２において、移動先Ｒ要素（Ｒ２）に映像信号の１画素移動ステップ毎に図１６で求めたＲ要素変化量（Ｒ）の加算を行う。Ｓｔｅｐ１７３において、移動先Ｇ要素（Ｇ２）に映像信号の１画素移動ステップ毎に図１６で求めたＧ要素変化量（Ｇ）の加算を行う。Ｓｔｅｐ１７４において、移動先Ｂ要素（Ｂ２）に映像信号の１画素移動ステップ毎に図１６で求めたＢ要素変化量（Ｂ）の加算を行うことにより、映像信号とＯＳＤ信号を同期させる。
【産業上の利用可能性】
【００４３】
本発明にかかるＯＳＤ表示装置およびＯＳＤ表示方法は、利用者に対してＯＳＤ表示要求を行う必要がなく、ＯＳＤ表示、非表示の繰り返しによる表示画面の劣化を抑えるとともに利用者側に輝度の変化による違和感を与えることなく、ＯＳＤ表示による焼き付け抑制することができるので、ＯＳＤ信号を表示するすべての表示装置に有用である。
【符号の説明】
【００４４】
１００    ＯＳＤ表示装置
１０１    制御部
１０２    ＯＳＤ生成部
１０３    映像制御部
１０４    映像合成部
１０５    映像表示部
【図１】
2011253027.tif 000003
【図２】
2011253027.tif 000004
【図３】
2011253027.tif 000005
【図４】
2011253027.tif 000006
【図５】
2011253027.tif 000007
【図６】
2011253027.tif 000008
【図７】
2011253027.tif 000009
【図８】
2011253027.tif 000010
【図９】
2011253027.tif 000011
【図１０】
2011253027.tif 000012
【図１１】
2011253027.tif 000013
【図１２】
2011253027.tif 000014
【図１３】
2011253027.tif 000015
【図１４】
2011253027.tif 000016
【図１５】
2011253027.tif 000017
【図１６】
2011253027.tif 000018
【図１７】
2011253027.tif 000019